(57)【要約】【課題】クレジットカードの所有者及びクレジットカード取引を取扱うクレジットカード加盟店の双方にとって好ましい取引相手を適応的に選択する。【解決手段】情報処理装置は、顧客が所有するカードに記録された所定のカード情報を読み取るカードリーダ部と、所定期間に前記カードの使用に基づいて行われた取引の売上情報（取引合計額）を管理する統計情報管理サーバから送信された所定の接続先機器変換テーブルの情報を受信する受信部と、読み取られたカード情報に応じて、接続先機器変換テーブルを用いて、カードを用いた取引の決済において接続する接続先機器を決定する決定部と、決定部により決定された接続先機器に対し、カードを用いた取引の決済処理に関わるコマンド又はデータの送受信を行う決済処理部とを備える。【選択図】図４
2015172817.tif 000002
【特許請求の範囲】
【請求項１】
顧客のカードの使用に基づく取引の決済に用いる情報処理装置と、所定期間に行われた前記取引による売上情報を管理する統計情報管理サーバとを含み、
前記統計情報管理サーバは、
前記所定期間に行われた前記取引による売上情報に基づく手数料率情報と、所定の顧客利益還元情報とを用いて、前記カードを用いた取引の決済において接続する接続先機器を定める接続先機器変換テーブルを生成するサーバ側テーブル生成部と、
前記サーバ側テーブル生成部により生成された前記接続先機器変換テーブルの情報を前記情報処理装置に送信する送信部と、を有し、
前記情報処理装置は、
前記カードに記録された所定のカード情報を読み取るカードリーダ部と、
前記統計情報管理サーバから送信された前記接続先機器変換テーブルの情報を受信する受信部と、
前記カードリーダ部により読み取られた前記カード情報に応じて、前記接続先機器変換テーブルを用いて、前記カードを用いた取引の決済において接続する接続先機器を決定する決定部と、
前記決定部により決定された前記接続先機器に対し、前記カードを用いた取引の決済処理に関わるコマンド又はデータの送受信を行う決済処理部と、を備える、
情報処理システム。
【請求項２】
顧客のカードの使用に基づく取引の決済に用いる情報処理装置と、所定期間に行われた前記取引による売上情報を管理する統計情報管理サーバとを含み、
前記統計情報管理サーバは、
前記所定期間に行われた前記取引による売上情報に基づく手数料率情報と、所定の顧客利益還元情報とを記憶する記憶部と、
前記記憶部に記憶される前記手数料率情報及び前記顧客利益還元情報を前記情報処理装置に送信する送信部と、を有し、
前記情報処理装置は、
前記カードに記録された所定のカード情報を読み取るカードリーダ部と、
前記統計情報管理サーバから送信された前記手数料率情報及び前記顧客利益還元情報を受信する受信部と、
前記受信部により受信された前記前記手数料率情報及び前記顧客利益還元情報を用いて、前記カードを用いた取引の決済において接続する接続先機器を定める接続先機器変換テーブルを生成する端末側テーブル生成部と、
前記カードリーダ部により読み取られた前記カード情報に応じて、前記端末側テーブル生成部により生成された前記接続先機器変換テーブルを用いて、前記カードを用いた取引の決済において接続する接続先機器を決定する決定部と、
前記決定部により決定された前記接続先機器との間で、前記カードを用いた取引の決済処理に関わるコマンド又はデータの送受信を行う決済処理部と、を備える、
情報処理システム。
【請求項３】
請求項１又は２に記載の情報処理システムであって、
前記接続先機器変換テーブルは、
一部又は全部の前記カード情報に対して、複数の接続先機器の識別番号と前記複数の接続先機器の優先順位情報とを定め、
前記決定部は、
前記複数の接続先機器の優先順位情報を基に、前記一部又は全部の前記カード情報に対応するカードを用いた取引の決済において接続する接続先機器を決定する、
情報処理システム。
【請求項４】
請求項１又は２に記載の情報処理システムであって、
前記接続先機器は、決済センタである、
情報処理システム。
【請求項５】
請求項１又は２に記載の情報処理システムであって、
前記接続先機器は、アクワイヤラである、
情報処理システム。
【請求項６】
請求項１又は２に記載の情報処理システムであって、
前記送信部は、
前記接続先機器変換テーブルの情報が更新された場合に、更新後の前記接続先機器変換テーブルの情報を前記情報処理装置に送信し、
前記決定部は、
前記情報処理装置の起動又は再起動に応じて、更新後の前記接続先機器変換テーブルを用いて、前記カードを用いた取引の決済において接続する接続先機器を決定する、
情報処理システム。
【請求項７】
請求項２に記載の情報処理システムであって、
前記送信部は、
前記手数料率情報又は前記顧客利益還元情報が更新された場合に、更新後の前記手数料率情報又は前記顧客利益還元情報を前記情報処理装置に送信し、
前記端末側テーブル生成部は、
前記情報処理装置の起動又は再起動に応じて、更新後の前記手数料率情報又は前記顧客利益還元情報を用いて、前記接続先機器変換テーブルを更新する、
情報処理システム。
【請求項８】
顧客が所有するカードに記録された所定のカード情報を読み取るカードリーダ部と、
所定期間に前記カードの使用に基づいて行われた取引の売上情報を管理する統計情報管理サーバから送信された所定の接続先機器変換テーブルの情報を受信する受信部と、
前記カードリーダ部により読み取られた前記カード情報に応じて、前記接続先機器変換テーブルを用いて、前記カードを用いた取引の決済において接続する接続先機器を決定する決定部と、
前記決定部により決定された前記接続先機器に対し、前記カードを用いた取引の決済処理に関わるコマンド又はデータの送受信を行う決済処理部と、を備える、
情報処理装置。
【請求項９】
顧客が所有するカードに記録された所定のカード情報を読み取るカードリーダ部と、
所定期間に前記カードの使用に基づいて行われた取引の売上情報を管理する統計情報管理サーバから送信された所定の手数料率情報及び顧客利益還元情報を受信する受信部と、
前記受信部により受信された前記手数料率情報及び前記顧客利益還元情報を用いて、前記カードを用いた取引の決済において接続する接続先機器を定める接続先機器変換テーブルを生成する端末側テーブル生成部と、
前記カードリーダ部により読み取られた前記カード情報に応じて、前記端末側テーブル生成部により生成された前記接続先機器変換テーブルを用いて、前記カードを用いた取引の決済において接続する接続先機器を決定する決定部と、
前記決定部により決定された前記接続先機器に対し、前記カードを用いた取引の決済処理に関わるコマンド又はデータの送受信を行う決済処理部と、を備える、
情報処理装置。
【請求項１０】
取引の決済において用いる情報処理装置における情報処理方法であって、
顧客が所有するカードに記録された所定のカード情報を読み取るステップと、
所定期間に前記カードの使用に基づいて行われた取引の売上情報を管理する統計情報管理サーバから前記情報処理装置に送信された所定の接続先機器変換テーブルの情報を受信するステップと、
読み取られた前記カード情報に応じて、前記接続先機器変換テーブルを用いて、前記カードを用いた取引の決済において接続する接続先機器を決定するステップと、
決定された前記接続先機器に対し、前記カードを用いた取引の決済処理に関わるコマンド又はデータの送受信を行うステップと、を有する、
情報処理方法。
【請求項１１】
取引の決済において用いる情報処理装置における情報処理方法であって、
顧客が所有するカードに記録された所定のカード情報を読み取るステップと、
所定期間に前記カードの使用に基づいて行われた取引の売上情報を管理する統計情報管理サーバから前記情報処理装置に送信された所定の手数料率情報及び顧客利益還元情報を受信するステップと、
受信された前記手数料率情報及び前記顧客利益還元情報を用いて、前記カードを用いた取引の決済において接続する接続先機器を定める接続先機器変換テーブルを生成するステップと、
読み取られた前記カード情報に応じて、生成された前記接続先機器変換テーブルを用いて、前記カードを用いた取引の決済において接続する接続先機器を決定するステップと、
決定された前記接続先機器に対し、前記カードを用いた取引の決済処理に関わるコマンド又はデータの送受信を行うステップと、を有する、
情報処理方法。
【発明の詳細な説明】
【技術分野】
【０００１】
本発明は、取引における決済処理を行うために使用される情報処理システム、情報処理装置及び情報処理方法に関する。
【背景技術】
【０００２】
例えば、クレジットカードを使用した物品又は役務の（信用）取引においては、取引を行う人物と取引に使用されるクレジットカードの所有者とが同一人物であるかどうかを確認（本人確認）することで、取引の安全性（セキュリティ）が確保されている。この本人確認は、取引の処理時に取引内容の印字された取引伝票に顧客がサインし、このサインとクレジットカードに記載されているサインとを店舗の店員が目視により対比することにより行われている。
【０００３】
近年、このような署名の入力及び表示が可能な決済端末装置は、スマートフォンやタブレット端末を用いて実現されている。スマートフォンやタブレット端末は民生用機器として多数流通しており、安価に調達して決済端末装置を構築することが可能となる。即ち、このような決済端末装置は、スマートフォンやタブレット端末等のように民生用機器として多数流通している情報端末を用いて構成できれば、決済端末装置自体を安価に調達可能である。また、決済処理その他の業務に用いられるアプリケーション（ソフトウェア）の開発プラットフォームの汎用化が可能となるので、開発資産の再利用や流用が容易となる。
【０００４】
また近年、クレジットカード取引を取扱うクレジットカード加盟店（例えば店舗；以下では単に「加盟店」という）において商品を購入する顧客が使用するクレジットカードの種類は多岐にわたっている。このような複数の種類のクレジットカードのいずれを使用しても顧客の商品購入時における決済処理の手続に対応できる仕組みとして、例えば日本では、決済中継センタが店舗内の決済端末装置から送信されたカード情報を用いて該当するクレジットカード発行会社に与信照会を振り分ける方式が存在している。しかし、このような振り分け方式では、決済中継センタの運用コストがかかる。
【０００５】
ここで、決済端末装置において決済処理時の接続先（例えばクレジットカード発行会社）を切り替える先行技術として、例えば特許文献１に示すクレジットカードシステムが知られている。特許文献１に示すクレジットカードシステムは、クレジットカードの利用に際し、クレジットカードに登録された管理情報（例えば、期日情報、利用限度額情報）を基に、クレジットカードの利用可否を判断する。また、このクレジットカードシステムは、自システムでクレジットカードの利用可否を判断すべきと決定した場合に、自システムのクレジットカードの利用可否の判断結果を表示し、他システムでクレジットカードの利用可否を判断すべきと決定した場合に、他システムにクレジットカードの利用可否を問い合わせ、他システムにおける判断結果を表示する。
【０００６】
また、特許文献２では、所定の支払い処理サービスを用いた支払いが認められていないサプライヤがアクワイヤラ、即ち、特定のクレジットカード取引を取扱う加盟店を募集し、加盟店のクレジットカード取引に基づく売上データを統括する会社との間で決済処理の手続を行う際に、サプライヤが支払い処理サービスを介した支払いを或るアクワイヤラに照会してから予め定められた時間が経過しても支払いが認められない場合には、他のアクワイヤラに対して同様に照会するサプライヤ加入プログラムが開示されている。
【先行技術文献】
【特許文献】
【０００７】
【特許文献１】特開平０８−３０５９３４号公報
【特許文献２】米国特許出願公開第２０１１／００２０２３６０号明細書
【発明の概要】
【発明が解決しようとする課題】
【０００８】
しかし、上述した特許文献１では、クレジットカードの所有者（顧客）及び加盟店の双方にとって必ずしもメリットが得られる取引相手（例えばアクワイヤラやクレジットカード発行会社）が選択されない可能性があるという課題がある。また、この課題に関連して、上述した特許文献２では、例えば顧客がサプライヤの商品を購入した際のクレジットカードを用いた決済処理において、アクワイヤラとの間の支払い処理サービスの加入に時間がかかると、顧客は決済処理が完了するまで待ち続けることになるため、顧客に不快な印象を与えるという課題がある。
【０００９】
本発明は、上記した従来の課題を解決するために、クレジットカードの所有者及び加盟店の双方にとって好ましい取引相手を適応的に選択する情報処理システム、情報処理装置及び情報処理方法を提供することを目的とする。
【課題を解決するための手段】
【００１０】
本発明は、顧客のカードの使用に基づく取引の決済に用いる情報処理装置と、所定期間に行われた前記取引による売上情報を管理する統計情報管理サーバとを含み、前記統計情報管理サーバは、前記売上情報に基づく手数料率情報と、所定の顧客利益還元情報とを用いて、前記カードを用いた取引の決済において接続する接続先機器を定める接続先機器変換テーブルを生成するサーバ側テーブル生成部と、前記サーバ側テーブル生成部により生成された前記接続先機器変換テーブルの情報を前記情報処理装置に送信する送信部と、を有し、前記情報処理装置は、前記カードに記録された所定のカード情報を読み取るカードリーダ部と、前記統計情報管理サーバから送信された前記接続先機器変換テーブルの情報を受信する受信部と、前記カードリーダ部により読み取られた前記カード情報に応じて、前記接続先機器変換テーブルを用いて、前記カードを用いた取引の決済において接続する接続先機器を決定する決定部と、前記決定部により決定された前記接続先機器に対し、前記カードを用いた取引の決済処理に関わるコマンド又はデータの送受信を行う決済処理部と、を備える、情報処理システムである。
【００１１】
この構成では、統計情報管理サーバは、所定期間に顧客のカードの使用に基づいて行われた取引の売上情報（取引合計額）に基づく手数料率情報と所定の顧客利益還元情報とを用いて、カードを用いた取引の決済において接続する接続先機器を定める接続先機器変換テーブルを生成して情報処理装置に送信する。情報処理装置は、顧客が所有するカード（例えばクレジットカード）に記録されたカード情報（例えばカード発行会社の情報）に応じて、統計情報管理サーバから送信された接続先機器変換テーブルを用いて、カードを用いた取引の決済において接続する接続先機器を決定する。
【００１２】
これにより、情報処理システムでは、情報処理装置は、カード（例えばクレジットカード）の所有者である顧客及び加盟店の双方にとって、取引の決済の際に接続する接続先機器として好ましい取引相手が予め定められた接続先機器変換テーブルを統計情報管理サーバから取得できるので、カード（例えばクレジットカード）の所有者である顧客及び加盟店の双方にとってメリットが得られる接続先機器を適応的に選択することができる。
【００１３】
また、本発明は、顧客のカードの使用に基づく取引の決済に用いる情報処理装置と、所定期間に行われた前記取引による売上情報を管理する統計情報管理サーバとを含み、前記統計情報管理サーバは、前記所定期間に行われた前記取引による売上情報に基づく手数料率情報と、所定の顧客利益還元情報とを記憶する記憶部と、前記記憶部に記憶される前記手数料率情報及び前記顧客利益還元情報を前記情報処理装置に送信する送信部と、を有し、前記情報処理装置は、前記カードに記録された所定のカード情報を読み取るカードリーダ部と、前記統計情報管理サーバから送信された前記手数料率情報及び前記顧客利益還元情報を受信する受信部と、前記受信部により受信された前記前記手数料率情報及び前記顧客利益還元情報を用いて、前記カードを用いた取引の決済において接続する接続先機器を定める接続先機器変換テーブルを生成する端末側テーブル生成部と、前記カードリーダ部により読み取られた前記カード情報に応じて、前記端末側テーブル生成部により生成された前記接続先機器変換テーブルを用いて、前記カードを用いた取引の決済において接続する接続先機器を決定する決定部と、前記決定部により決定された前記接続先機器に対し、前記カードを用いた取引の決済処理に関わるコマンド又はデータの送受信を行う決済処理部と、を備える、情報処理システムである。
【００１４】
この構成では、統計情報管理サーバは、所定期間に顧客のカードの使用に基づいて行われた取引の売上情報（取引合計額）に基づく手数料率情報と所定の顧客利益還元情報とを情報処理装置に送信する。情報処理装置は、統計情報管理サーバから送信された手数料率情報と所定の顧客利益還元情報とを用いて、カードを用いた取引の決済において接続する接続先機器を定める接続先機器変換テーブルを生成する。また、情報処理装置は、顧客が所有するカード（例えばクレジットカード）に記録されたカード情報（例えばカード発行会社の情報）に応じて、接続先機器変換テーブルを用いて、カードを用いた取引の決済において接続する接続先機器を決定する。
【００１５】
これにより、情報処理システムでは、情報処理装置は、カード（例えばクレジットカード）の所有者である顧客及び加盟店の双方にとって、取引の決済の際に接続する接続先機器として好ましい取引相手が予め定められた接続先機器変換テーブルを、統計情報管理サーバから取得した手数料率情報及び顧客利益還元情報を基に生成でき、この接続先機器変換テーブルを用いることで、カード（例えばクレジットカード）の所有者である顧客及び加盟店の双方にとってメリットが得られる接続先機器を適応的に選択することができる。
【００１６】
また、本発明は、前記接続先機器変換テーブルが、一部又は全部の前記カード情報に対して、複数の接続先機器の識別番号と前記複数の接続先機器の優先順位情報とを定め、前記決定部が、前記複数の接続先機器の優先順位情報を基に、前記一部又は全部の前記カード情報に対応するカードを用いた取引の決済において接続する接続先機器を決定する、情報処理システムである。
【００１７】
この構成では、接続先機器変換テーブルは、一部又は全部のカード情報に対して、複数の接続先機器の識別番号と各接続先機器の優先順位情報とを定める。情報処理装置は、各接続先機器の優先順位情報を基に、一部又は全部のカード情報に対応するカードを用いた取引の決済において接続する接続先機器を決定する。
【００１８】
これにより、情報処理システムでは、情報処理装置は、カードの所有者である顧客及び加盟店の双方にとってメリットが得られる接続先機器の順に優先順位情報を接続先機器変換テーブルにおいて記憶しているので、カード（例えばクレジットカード）の所有者である顧客及び加盟店の双方にとってメリットが得られる接続先機器を適応的に選択することができる。
【００１９】
また、本発明は、前記接続先機器が決済センタである、情報処理システムである。
【００２０】
この構成では、情報処理装置が取引の決済処理に関わるコマンド又はデータの送受信を行う接続先機器が決済センタである。
【００２１】
これにより、情報処理装置は、カードを用いた取引の決済において、カード（例えばクレジットカード）の所有者である顧客及び加盟店の双方にとってメリットが得られる接続先機器として、例えば決済中継サービス会社を介することなく、加盟店が契約している決済センタを適応的に選択することができる。
【００２２】
また、本発明は、前記接続先機器がアクワイヤラである、情報処理装置である。
【００２３】
この構成では、情報処理装置が取引の決済処理に関わるコマンド又はデータの送受信を行う接続先機器がアクワイヤラである。
【００２４】
これにより、情報処理装置は、カードを用いた取引の決済において、カード（例えばクレジットカード）の所有者である顧客及び加盟店の双方にとってメリットが得られる接続先機器として、例えばアクワイヤラ毎の専用の決済端末装置を所持することなく、加盟店が契約しているアクワイヤラを適応的に選択することができる。
【００２５】
また、本発明は、前記送信部は、前記接続先機器変換テーブルの情報が更新された場合に、更新後の前記接続先機器変換テーブルの情報を前記情報処理装置に送信し、前記決定部は、前記情報処理装置の起動又は再起動に応じて、更新後の前記接続先機器変換テーブルを用いて、前記カードを用いた取引の決済において接続する接続先機器を決定する、情報処理システムである。
【００２６】
この構成では、情報処理装置は、例えば統計情報管理サーバにより接続先機器変換テーブルの情報が更新された場合に、更新後の接続先機器変換テーブルの情報を受信し、情報処理装置が起動（例えば電源ＯＮ）した場合又は再起動した場合に、更新後の接続先機器変換テーブルの情報を用いて、決済処理に関わる接続先機器を決定する。
【００２７】
これにより、情報処理装置は、統計情報管理サーバにより更新された最新の接続先機器変換テーブルを用いて接続先機器を決定できるので、カード（例えばクレジットカード）の所有者である顧客及び加盟店の双方にとってメリットが得られる接続先機器を適応的に選択することができる。
【００２８】
また、本発明は、前記送信部は、前記手数料率情報又は前記顧客利益還元情報が更新された場合に、更新後の前記手数料率情報又は前記顧客利益還元情報を前記情報処理装置に送信し、前記端末側テーブル生成部は、前記情報処理装置の起動又は再起動に応じて、更新後の前記手数料率情報又は前記顧客利益還元情報を用いて、前記接続先機器変換テーブルを更新する、情報処理システムである。
【００２９】
この構成では、情報処理装置は、例えば統計情報管理サーバにより手数料率情報又は顧客利益還元情報が更新された場合に、情報処理装置が起動（例えば電源ＯＮ）した場合又は再起動した場合に、更新後の手数料率情報又は顧客利益還元情報を用いて接続先機器変換テーブルの情報を更新し、更新後の接続先機器変換テーブルの情報を用いて、決済処理に関わる接続先機器を決定する。
【００３０】
これにより、情報処理装置は、統計情報管理サーバにより更新された最新の手数料率情報又は顧客利益還元情報を用いて接続先機器変換テーブルを更新できるので、更新後の接続先機器変換テーブルを用いることで、カード（例えばクレジットカード）の所有者である顧客及び加盟店の双方にとってメリットが得られる接続先機器を適応的に選択することができる。
【００３１】
また、本発明は、顧客が所有するカードに記録された所定のカード情報を読み取るカードリーダ部と、所定期間に前記カードの使用に基づいて行われた取引の売上情報（取引合計額）を管理する統計情報管理サーバから送信された所定の接続先機器変換テーブルの情報を受信する受信部と、前記カードリーダ部により読み取られた前記カード情報に応じて、前記接続先機器変換テーブルを用いて、前記カードを用いた取引の決済において接続する接続先機器を決定する決定部と、前記決定部により決定された前記接続先機器に対し、前記カードを用いた取引の決済処理に関わるコマンド又はデータの送受信を行う決済処理部と、を備える、情報処理装置である。
【００３２】
この構成では、情報処理装置は、顧客が所有するカード（例えばクレジットカード）に記録されたカード情報（例えばカード発行会社の情報）毎に、統計情報管理サーバから送信された接続先機器変換テーブルを用いて、この接続先機器変換テーブルを用いて、カードを用いた取引の決済において接続する接続先機器を決定する。
【００３３】
これにより、情報処理装置は、カード（例えばクレジットカード）の所有者である顧客及び加盟店の双方にとって、取引の決済の際に接続する接続先機器として好ましい取引相手が予め定められた接続先機器変換テーブルを有するので、カード（例えばクレジットカード）の所有者である顧客及び加盟店の双方にとってメリットが得られる接続先機器を適応的に選択することができる。
【００３４】
また、本発明は、顧客が所有するカードに記録された所定のカード情報を読み取るカードリーダ部と、所定期間に前記カードの使用に基づいて行われた取引の売上情報（取引合計額）を管理する統計情報管理サーバから送信された所定の手数料率情報及び顧客利益還元情報を受信する受信部と、前記受信部により受信された前記手数料率情報及び前記顧客利益還元情報を用いて、前記カードを用いた取引の決済において接続する接続先機器を定める接続先機器変換テーブルを生成する端末側テーブル生成部と、前記カードリーダ部により読み取られた前記カード情報に応じて、前記端末側テーブル生成部により生成された前記接続先機器変換テーブルを用いて、前記カードを用いた取引の決済において接続する接続先機器を決定する決定部と、前記決定部により決定された前記接続先機器に対し、前記カードを用いた取引の決済処理に関わるコマンド又はデータの送受信を行う決済処理部と、を備える、情報処理装置である。
【００３５】
この構成では、情報処理装置は、顧客が所有するカード（例えばクレジットカード）に記録されたカード情報（例えばカード発行会社の情報）毎に、統計情報管理サーバから送信された手数料率情報及び顧客利益還元情報を用いて、接続先機器変換テーブルを生成し、この接続先機器変換テーブルを用いて、カードを用いた取引の決済において接続する接続先機器を決定する。
【００３６】
これにより、情報処理装置は、カード（例えばクレジットカード）の所有者である顧客及び加盟店の双方にとって、取引の決済の際に接続する接続先機器として好ましい取引相手が予め定められた接続先機器変換テーブルを有するので、カード（例えばクレジットカード）の所有者である顧客及び加盟店の双方にとってメリットが得られる接続先機器を適応的に選択することができる。
【００３７】
また、本発明は、取引の決済において用いる情報処理装置における情報処理方法であって、顧客が所有するカードに記録された所定のカード情報を読み取るステップと、所定期間に前記カードの使用に基づいて行われた取引の売上情報（取引合計額）を管理する統計情報管理サーバから前記情報処理装置に送信された所定の接続先機器変換テーブルの情報を受信するステップと、読み取られた前記カード情報に応じて、前記接続先機器変換テーブルを用いて、前記カードを用いた取引の決済において接続する接続先機器を決定するステップと、決定された前記接続先機器に対し、前記カードを用いた取引の決済処理に関わるコマンド又はデータの送受信を行うステップと、を有する、情報処理方法である。
【００３８】
この方法では、情報処理装置は、顧客が所有するカード（例えばクレジットカード）に記録されたカード情報（例えばカード発行会社の情報）毎に、統計情報管理サーバから送信された接続先機器変換テーブルを用いて、この接続先機器変換テーブルを用いて、カードを用いた取引の決済において接続する接続先機器を決定する。
【００３９】
これにより、情報処理装置は、カード（例えばクレジットカード）の所有者である顧客及び加盟店の双方にとって、取引の決済の際に接続する接続先機器として好ましい取引相手が予め定められた接続先機器変換テーブルを有するので、カード（例えばクレジットカード）の所有者である顧客及び加盟店の双方にとってメリットが得られる接続先機器を適応的に選択することができる。
【００４０】
更に、本発明は、取引の決済において用いる情報処理装置における情報処理方法であって、顧客が所有するカードに記録された所定のカード情報を読み取るステップと、所定期間に前記カードの使用に基づいて行われた取引の売上情報（取引合計額）を管理する統計情報管理サーバから前記情報処理装置に送信された所定の手数料率情報及び顧客利益還元情報を受信するステップと、受信された前記手数料率情報及び前記顧客利益還元情報を用いて、前記カードを用いた取引の決済において接続する接続先機器を定める接続先機器変換テーブルを生成するステップと、読み取られた前記カード情報に応じて、生成された前記接続先機器変換テーブルを用いて、前記カードを用いた取引の決済において接続する接続先機器を決定するステップと、決定された前記接続先機器に対し、前記カードを用いた取引の決済処理に関わるコマンド又はデータの送受信を行うステップと、を有する、情報処理方法である。
【００４１】
この方法では、情報処理装置は、顧客が所有するカード（例えばクレジットカード）に記録されたカード情報（例えばカード発行会社の情報）毎に、統計情報管理サーバから送信された手数料率情報及び顧客利益還元情報を用いて、接続先機器変換テーブルを生成し、この接続先機器変換テーブルを用いて、カードを用いた取引の決済において接続する接続先機器を決定する。
【００４２】
これにより、情報処理装置は、カード（例えばクレジットカード）の所有者である顧客及び加盟店の双方にとって、取引の決済の際に接続する接続先機器として好ましい取引相手が予め定められた接続先機器変換テーブルを有するので、カード（例えばクレジットカード）の所有者である顧客及び加盟店の双方にとってメリットが得られる接続先機器を適応的に選択することができる。
【発明の効果】
【００４３】
本発明によれば、クレジットカードの所有者及び加盟店の双方にとって好ましい取引相手を適応的に選択することができる。
【図面の簡単な説明】
【００４４】
【図１】（Ａ）本実施形態の決済処理システムの第１のシステム構成例を示すブロック図、（Ｂ）本実施形態の決済処理システムの第２のシステム構成例を示すブロック図
【図２】（Ａ）本実施形態の決済端末装置の外観を示す正面図、（Ｂ）図２（Ａ）に示す決済端末装置の外観を示す側面図
【図３】本実施形態の決済端末装置のハードウェア構成の一例を具体的に示すブロック図
【図４】本実施形態の決済端末装置のソフトウェア機能を主としたシステム構成の一例を具体的に示すブロック図
【図５】本実施形態の統計情報管理サーバのハードウェア構成の一例を具体的に示すブロック図
【図６】本実施形態の決済端末装置の接続先機器が決済センタである場合の動作概要の説明図
【図７】本実施形態の決済端末装置の接続先機器がアクワイヤラである場合の動作概要の説明図
【図８】（Ａ）年間決済累計額と手数料率との関係の一例を示すグラフ、（Ｂ）接続先アクワイヤラ変換テーブルの内容を説明する補足説明図
【図９】本実施形態の決済端末装置の決済処理時における第一の動作手順を詳細に説明するフローチャート
【図１０】本実施形態の決済端末装置の決済処理時における第二の動作手順を詳細に説明するフローチャート
【発明を実施するための形態】
【００４５】
以下、本発明に係る情報処理システム、情報処理装置及び情報処理方法の実施形態（以下、「本実施形態」という）について、図面を参照して説明する。以下の本実施形態では、本発明に係る情報処理システムの一部を構成する情報処理装置の一例として、商品又は役務の取引における決済処理の際に用いる決済端末装置を例示し、情報処理システムの一例として、決済端末装置を含む決済処理システムを例示して説明する。なお、本発明は、情報処理システム、情報処理装置及び情報処理方法に限らず、情報処理装置に対して情報処理方法の動作を実行させるためのコンピュータ読み取り可能な記録媒体や、情報処理装置に対して情報処理方法の動作を実行させるためのプログラムとして表現しても良い。
【００４６】
（決済処理システムのシステム構成）
先ず、本実施形態の決済処理システム１０００（１０００Ａ，１０００Ｂ）のシステム構成について、図１（Ａ）及び図１（Ｂ）を参照して説明する。図１（Ａ）は、本実施形態の決済処理システム１０００Ａの第１のシステム構成例を示すブロック図である。図１（Ｂ）は、本実施形態の決済処理システム１０００Ｂの第２のシステム構成例を示すブロック図である。なお、図１（Ｂ）の説明において、図１（Ａ）の説明と同一の内容の説明は簡略化又は省略し、異なる内容について説明する。
【００４７】
図１（Ａ）に示す決済処理システム１０００Ａは、決済端末装置１Ａと、店舗売上情報管理サーバ８０と、統計情報管理サーバ１００Ａとを含む構成である。決済端末装置１Ａと統計情報管理サーバ１００Ａとは、広域網のネットワーク（例えばＷＡＮ：Wide Area Network）ＣＮＷ１Ａを介して接続されている。店舗売上情報管理サーバ８０と統計情報管理サーバ１００Ａとは、広域網のネットワーク（例えばＷＡＮ）ＣＮＷ２Ａを介して接続されている。決済端末装置１Ａと店舗売上情報管理サーバ８０とは、有線又は無線のネットワークを介して接続されている。なお、広域網のネットワークＣＮＷ１Ａ，ＣＮＷ２Ａとは同一のネットワークでも良いし、異なるネットワークでも良い。
【００４８】
決済端末装置１Ａは、例えば加盟店（例えば店舗）において設置され、顧客が所持するカード（例えばクレジットカード）の使用に基づく取引の決済において決済処理を行う際には、後述する決済センタ又はアクワイヤラとの接続を行う。決済端末装置１Ａは、決済センタ又はアクワイヤラから与信を受けた後、決済端末装置１Ａが設置される加盟店における売上情報を、決済センタ又はアクワイヤラの他、店舗売上情報管理サーバ８０に送信する。また、決済端末装置１Ａは、詳細は後述するが、統計情報管理サーバ１００Ａにより送信された接続先決済センタ変換テーブル６０又は接続先アクワイヤラ変換テーブル６０Ａ（後述参照）のデータを受信する。決済端末装置１Ａの詳細な内部構成については、図３及び図４を参照して後述する。
【００４９】
店舗売上情報管理サーバ８０は、決済端末装置１Ａを含む他の複数の決済端末装置（不図示）から送信された売上情報を受信し、例えば加盟店毎、フロア毎、店ビル毎、地域毎及びチェーン店毎のうちいずれかに対応した売上情報を管理する。店舗売上情報管理サーバ８０は、加盟店毎、フロア毎、店ビル毎、地域毎及びチェーン店毎のうちいずれかに対応した売上情報を、ネットワークＣＮＷ２Ａを介して、統計情報管理サーバ１００Ａに送信する。
【００５０】
統計情報管理サーバ１００Ａは、店舗売上情報管理サーバ８０から送信された加盟店毎、フロア毎、店ビル毎、地域毎及びチェーン店毎のうちいずれかに対応した売上情報を受信してハードディスク１３２（図５参照）に記憶する。統計情報管理サーバ１００Ａは、決済端末装置１Ａが設置される加盟店毎に、取引の決済に関する加盟店と決済センタ又はアクワイヤラとの契約に関する情報（以下、「決済契約情報」という）を記憶している。決済契約情報は、例えば決済契約に関する一般的な主事項の他、加盟店が所定期間（例えば１年間）における取引合計額に応じて決済センタ又はアクワイヤラに対して支払う取引手数料の割合を示す手数料率の情報（手数料率情報）や、加盟店が定期的に実施するエンドユーザメリット（例えばキャッシュバック、ポイント付与）に関する顧客利益還元情報であるが、これらに限定されない。統計情報管理サーバ１００Ａは、このような手数料率情報及び所定の顧客利益還元情報を用いて、接続先決済センタ変換テーブル６０又は接続先アクワイヤラ変換テーブル６０Ａを加盟店毎に生成して該当する加盟店の決済端末装置（例えば決済端末装置１）に送信する。統計情報管理サーバ１００Ａの詳細な内部構成については、図５を参照して説明する。
【００５１】
図１（Ｂ）に示す決済処理システム１０００Ｂは、決済端末装置１Ｂと、店舗売上情報管理サーバ８０と、統計情報管理サーバ１００Ｂとを含む構成である。決済端末装置１Ｂと統計情報管理サーバ１００Ｂとは、広域網のネットワーク（例えばＷＡＮ）ＣＮＷ１Ｂを介して接続されている。店舗売上情報管理サーバ８０と統計情報管理サーバ１００Ｂとは、広域網のネットワーク（例えばＷＡＮ）ＣＮＷ２Ｂを介して接続されている。広域網のネットワークＣＮＷ１Ｂ，ＣＮＷ２Ｂとは同一のネットワークでも良いし、異なるネットワークでも良い。
【００５２】
図１（Ｂ）では、決済端末装置１Ｂは、詳細は後述するが、統計情報管理サーバ１００Ｂにより送信された手数料率情報及び顧客利益還元情報を受信して接続先決済センタ変換テーブル６０又は接続先アクワイヤラ変換テーブル６０Ａ（後述参照）のデータを生成する。
【００５３】
統計情報管理サーバ１００Ｂは、加盟店毎の手数料率情報及び所定の顧客利益還元情報を、決済契約情報が記憶されるハードディスク１３２から読み出して、該当する加盟店の決済端末装置（例えば決済端末装置１Ｂ）に送信する。
【００５４】
図２（Ａ）は、本実施形態の決済端末装置１（１Ａ，１Ｂを含む。以下同様。）の外観を示す正面図である。図２（Ｂ）は、図２（Ａ）に示す決済端末装置１の外観を示す側面図である。本実施形態の決済端末装置１は、可搬型であり、例えば商品又は役務の取引における決済処理を含む各種の処理を行う情報処理部２を備える構成である。
【００５５】
図２（Ａ）に示す決済端末装置１は、例えば磁気カードに記録されたカード情報を読み取るために磁気カードのスライド用のパスとなるスリット５を、情報処理部２の上側面６に備える。決済端末装置１は、例えば接触型ＩＣカードに記録されたカード情報を読み取るために接触型ＩＣカードが挿入される挿入口７を、情報処理部２の下側面８に備える。決済端末装置１は、例えば非接触型ＩＣカードに記録されたカード情報を読み取るためのループアンテナ３８を決済端末装置１の内部に備える。
【００５６】
また、決済端末装置１は、入力部及び表示部の一例として機能するタッチパネル１０を、情報処理部２の前面９に備える（図２（Ａ）参照）。更に、決済端末装置１は、前面９におけるタッチパネル１０の一辺の外側（図中下側）に入力キー１３を備える。
【００５７】
（決済端末装置のハードウェア構成）
図３は、本実施形態の決済端末装置１のハードウェア構成の一例を具体的に示すブロック図である。図３に示す決済端末装置１は、ＣＰＵ２１と、局所無線通信アンテナ２３が接続された局所無線通信部２２と、広域無線通信アンテナ２５が接続された広域無線通信部２４と、表示部２９と、タッチ入力検出部３０と、フラッシュＲＯＭ３２と、ＲＡＭ３３と、キーパッド部３４と、磁気カードリーダ部３５と、電源部３６と、バッテリ３７と、ループアンテナ３８が接続された非接触型ＩＣカードリーダライタ部４３と、接触型ＩＣカードリーダ部４４とを含む構成である。
【００５８】
決済端末装置１の情報処理部２は、図３に示す決済端末装置１の各部の処理を全体的に司るＣＰＵ（Central Processing Unit）２１を備える。図３では、決済端末装置１の各部がＣＰＵ２１に接続されている。
【００５９】
受信部の一例としての局所無線通信部２２は、局所無線通信アンテナ２３と接続されており、不図示の局所無線通信路を介して、例えば無線ＬＡＮ（Local Area Network）による無線通信を行う。局所無線通信は、例えば無線ＬＡＮに限定されず、Ｂｌｕｅｔｏｏｔｈ（登録商標）その他でも良い。
【００６０】
局所無線通信部２２は、前述の局所無線通信路（不図示）及びその先に接続される広域網のネットワークＣＮＷ１Ａ（図１（Ａ）参照）を介して、統計情報管理サーバ１００Ａから送信された接続先決済センタ変換テーブル６０，接続先アクワイヤラ変換テーブル６０Ａのデータを受信してＣＰＵ２１に出力する。局所無線通信部２２は、統計情報管理サーバ１００Ｂから送信された手数料率情報及び顧客利益還元情報を受信してＣＰＵ２１に出力する。
【００６１】
受信部の一例としての広域無線通信部２４は、広域無線通信アンテナ２５と接続されており、不図示の広域無線通信路（ＷＡＮ：Wide Area Network）を介して、広域無線通信を行う。広域無線通信は、例えばＷ−ＣＤＭＡ（Wideband Code Division Multiple Access）、ＵＭＴＳ（Universal Mobile Telecommunications System）、ＣＤＭＡ（Code Division Multiple Access）２０００、ＬＴＥ（Long Term Evolution）等の移動体通信を用いることができる。広域無線通信部２４は、前述の広域無線通信路（不図示）及びその先に接続される広域網のネットワークＣＮＷ１Ａ（図１（Ａ）参照）を介して、統計情報管理サーバ１００Ａから送信された接続先決済センタ変換テーブル６０，接続先アクワイヤラ変換テーブル６０Ａのデータを受信してＣＰＵ２１に出力する。広域無線通信部２４は、統計情報管理サーバ１００Ｂから送信された手数料率情報及び顧客利益還元情報を受信してＣＰＵ２１に出力する。
【００６２】
表示部２９は、例えばＬＣＤ（Liquid Crystal Display）又は有機ＥＬ（Electroluminescence）を用いて構成され、ＣＰＵ２１が表示を指示した情報又はデータを図１に示すタッチパネル１０に対して表示する。タッチ入力検出部３０は、タッチパネル１０に対するユーザ（例えば加盟店の店員、商品を購入した顧客）のタッチ入力を検出する。
【００６３】
フラッシュＲＯＭ（Read Only Memory）３２は、各種のデータを記憶する。記憶されるデータは、例えば業務に関わるデータでも良いし、決済端末装置１（主に情報処理部２）の動作を制御するためのプログラムでも良い。プログラムには、決済処理用のアプリケーション（ソフトウェア）等、決済端末装置１の動作に係る各種プログラムが含まれる。フラッシュＲＯＭ３２は、プログラムを記録する記録媒体としての機能を有する。フラッシュＲＯＭ３２には、接続先決済センタ変換テーブル６０、接続先アクワイヤラ変換テーブル６０Ａのデータが記憶される。本実施形態では、接続先決済センタ変換テーブル６０、接続先アクワイヤラ変換テーブル６０Ａのデータは、統計情報管理サーバ１００Ａから送信されても良いし、又は決済端末装置１Ｂ自身において生成しても良い。
【００６４】
ＲＡＭ３３は、決済端末装置１（主に情報処理部２）の動作に伴う演算処理等の際に、その途中において発生する処理データを一時的に記憶する等のために用いられるワークメモリである。
【００６５】
キーパッド部３４は、図１に示す入力キー１３に対応し、この入力キー１３からのキー入力を受け付ける。
【００６６】
カードリーダ部の一例としての磁気カードリーダ部３５は、図１に示すスリット５の内部に配置され、磁気カードに印字されたカード情報としての磁気ストライプを読み取る。磁気カードリーダ部３５により読み取られたカード情報はＣＰＵ２１に入力される。
【００６７】
カードリーダ部の一例としての非接触型ＩＣカードリーダライタ部４３は、ループアンテナ３８と接続されており、非接触型ＩＣカードに記録されたカード情報を読み取る。非接触型ＩＣカードリーダライタ部４３により読み取られたカード情報はＣＰＵ２１に入力される。
【００６８】
カードリーダ部の一例としての接触型ＩＣカードリーダ部４４は、図２（Ａ）に示す挿入口７の内部に配置され、挿入口７に挿入された接触型ＩＣカードの電極を介して、接触型ＩＣカードに記録されたカード情報を読み取る。接触型ＩＣカードリーダ部４４により読み取られたカード情報はＣＰＵ２１に入力される。
【００６９】
電源部３６は、主に情報処理部２の電源であり、バッテリ３７に蓄積された電力の供給を受けて、ＣＰＵ２１を含む情報処理部２の各部へ電源を供給する。ＣＰＵ２１は、電源部３６を制御することで、情報処理部２を構成する一部又は全体の回路に対して電源供給を行ったり停止したりすることが可能である。電源部３６の電源供給先としては、ＣＰＵ２１以外に、局所無線通信部２２、広域無線通信部２４、表示部２９、タッチ入力検出部３０、非接触型ＩＣカードリーダライタ部４３、接触型ＩＣカードリーダ部４４、キーパッド部３４、磁気カードリーダ部３５等の各部である。
【００７０】
（決済端末装置のソフトウェア構成）
図４は、本実施形態の決済端末装置１のソフトウェア機能を主としたシステム構成の一例を具体的に示すブロック図である。図４では、決済端末装置１の情報処理部２のＣＰＵ２１において実行される各動作がソフトウェアの機能ブロックとして示されている。具体的には、図４では、各種カードのカードリーダ部５０を備えるハードウェアＨＷ０に対して、オペレーティングシステム（ＯＳ）（Operating System）ＳＷ０と、キーパッドドライバＳＷ１と、キーパッド入出力実行制御部ＳＷ２と、カードリーダドライバＳＷ３と、カード入出力部ＳＷ４と、決済アプリケーションＳＷ５と、画面ＵＩ（User Interface）アプリケーションＳＷ６と、ディスプレイドライバＳＷ７と、センタ接続アプリケーションＳＷ８との各機能がＣＰＵ２１において実行（実装）される。
【００７１】
オペレーティングシステム（ＯＳ）ＳＷ０は、決済端末装置１をコンピュータとして動作させるための基本ソフトウェアであり、例えばＷｉｎｄｏｗｓ（登録商標）又はＬｉｎｕｘ（登録商標）である。
【００７２】
キーパッドドライバＳＷ１は、図２（Ａ）に示す入力キー１３（図３に示すキーパッド部３４に対応）の動作を制御し、図２（Ａ）に示す入力キー１３により入力された情報又はデータを取得してキーパッド入出力実行制御部ＳＷ２に出力する。本実施形態では、入力キー１３により入力された情報又はデータは、例えば顧客がクレジットカードを用いて商品を購入した際の決済金額情報、クレジットカードの支払い方法情報（例えば一括支払い、分割支払時の分割回数）及びクレジットカードの暗証番号（ＰＩＮ）等である。入力キー１３により入力される情報は、クレジットカードの暗証番号（ＰＩＮ）だけでも良く、この場合には、その他の情報（例えば顧客がクレジットカードを用いて商品を購入した際の決済金額情報、クレジットカードの支払い方法情報（例えば一括支払い、分割支払時の分割回数））は、タッチパネル１０により入力される。
【００７３】
キーパッド入出力実行制御部ＳＷ２は、図３に示すキーパッド部３４を用いて入力された情報又はデータの管理、及び当該情報又はデータの入出力に関する動作の実行を制御する。キーパッド入出力実行制御部ＳＷ２は、例えばキーパッドドライバＳＷ１から出力された情報又はデータを取得して決済アプリケーションＳＷ５又は画面ＵＩアプリケーションＳＷ６に出力する。
【００７４】
また、キーパッド入出力実行制御部ＳＷ２は、図２（Ａ）に示す入力キー１３により入力される画面の表示を画面ＵＩアプリケーションＳＷ６に指示する。キーパッド入出力実行制御部ＳＷ２は、表示部２９に表示される文字若しくは画像のデータをディスプレイドライバＳＷ７に出力する。
【００７５】
カードリーダドライバＳＷ３は、カードリーダ部５０（具体的には、図３に示す磁気カードリーダ部３５、非接触型ＩＣカードリーダライタ部４３及び接触型ＩＣカードリーダ部４４。以下同様。）の動作を制御し、カードリーダ部５０により読み取られたカード情報（例えばカードブランドの情報、顧客のクレジットカード番号を含む顧客情報）を取得してカード入出力部ＳＷ４に出力する（図４に示す点線参照）。カードリーダドライバＳＷ３は、磁気カードリーダ部３５、非接触型ＩＣカードリーダライタ部４３及び接触型ＩＣカードリーダ部４４のそれぞれに対して、独立した個別のカードリーダドライバが実装されても良い。
【００７６】
カード入出力部ＳＷ４は、カードリーダ部５０により読み取られたカード情報を管理し、例えばカードリーダドライバＳＷ３により読み取られたカード情報を決済アプリケーションＳＷ５に出力する。
【００７７】
決済アプリケーションＳＷ５は、顧客が加盟店（例えば店舗）において商品を購入した際の決済に関するアプリケーション（ソフトウェア）である。決済アプリケーションＳＷ５は、加盟店において顧客が商品を購入した際にその決済処理を行う際の接続先機器（例えば決済センタ、アクワイヤラ）の種類や数に関係なく使用可能なアプリケーションである。例えば、決済アプリケーションＳＷ５は、決済処理に関するアプリケーションの画面の表示を画面ＵＩアプリケーションＳＷ６に指示する。
【００７８】
端末側テーブル生成部の一例としての決済アプリケーションＳＷ５は、統計情報管理サーバ１００Ｂにより送信された手数料率情報及び顧客利益還元情報を用いて、接続先決済センタ変換テーブル６０又は接続先アクワイヤラ変換テーブル６０Ａ（後述参照）のデータを生成する。
【００７９】
決定部の一例としての決済アプリケーションＳＷ５は、決済処理を行う際には、カード入出力部ＳＷ４から出力された情報又はデータ（具体的には、カード情報）に応じて、統計情報管理サーバ１００から送信された接続先決済センタ変換テーブル６０又は接続先アクワイヤラ変換テーブル６０Ａ、又は、決済アプリケーションＳＷ５自身において生成した接続先決済センタ変換テーブル６０又は接続先アクワイヤラ変換テーブル６０Ａを参照することで、カード入出力部ＳＷ４から出力されたカード情報に対応する決済センタ又はアクワイヤラを決定する。
【００８０】
また、決済アプリケーションＳＷ５は、決済処理を行う際には、キーパッド入出力実行制御部ＳＷ２から出力された情報又はデータと、カード入出力部ＳＷ４から出力された情報又はデータとを用いて、決済アプリケーションＳＷ５が決定した外部の接続先機器（具体的には、後述する決済センタＡＡ又はアクワイヤラＢＢ）との接続と通信をセンタ接続アプリケーションＳＷ８に指示する。
【００８１】
画面ＵＩアプリケーションＳＷ６は、決済アプリケーションＳＷ５からの指示に応じて、図２に示すタッチパネル１０に対して表示される画面（具体的には、決済処理時において加盟店の店員が入力するための画面）の表示、及び当該画面において入力された情報又はデータの管理を制御する。
【００８２】
また、画面ＵＩアプリケーションＳＷ６は、キーパッド入出力実行制御部ＳＷ２からの指示に応じて、図２（Ａ）に示す入力キー１３により入力される画面の表示、及び当該画面において入力された情報又はデータの管理を制御する。画面ＵＩアプリケーションＳＷ６は、表示部２９に表示される文字若しくは画像のデータをディスプレイドライバＳＷ７に出力する。
【００８３】
ディスプレイドライバＳＷ７は、図３に示す表示部２９の動作を制御し、例えばキーパッド入出力実行制御部ＳＷ２若しくは決済アプリケーションＳＷ５から出力された決済画面、又は、画面ＵＩアプリケーションＳＷ６から出力された文字若しくは画像のデータを取得して表示部２９に表示させる。
【００８４】
決済処理部の一例としてのセンタ接続アプリケーションＳＷ８は、決済処理に関わるコマンド又はデータの送受信、より具体的には暗号化ＰＩＮの送信、与信照会とそのために必要なカード情報の送信、与信照会を行った結果の受信、又は売上処理データの送信などを、局所無線通信部２２又は広域無線通信部２４を介して、決済アプリケーションＳＷ５により決定された外部の接続先機器（例えば決済センタＡＡ、アクワイヤラＢＢ）との間で行う。
【００８５】
以上の構成を含む決済端末装置１は、以下のような特徴を有する。
【００８６】
本実施形態では、情報処理部２は、表示部２９とタッチ入力検出部３０とにより構成されるタッチパネル１０（図２（Ａ）及び図３参照）と、外部の接続先機器（例えば決済センタＡＡ）との通信が可能な局所無線通信部２２或いは広域無線通信部２４とを含む。
【００８７】
近年、カードを用いた取引の決済として従来から使用されてきた磁気カードに、接触型ＩＣカード、非接触型ＩＣカード、電子マネーが加わり、カードを用いた取引の決済のスキームは多様化している。新たな決済のスキームの追加に伴って、決済端末装置１の開発費や価格は上昇する一方である。ここで、情報処理部２がスマートフォンやタブレット端末等の多数流通している民生用機器であれば、決済端末装置１自体の価格を安価にすることが可能となるので、決済端末装置１としての開発費の上昇は、最小限に抑えられる。
【００８８】
この場合、情報処理部２には、汎用ＯＳ（例えば図４に示すオペレーティングシステムＳＷ０参照）がソフトウェアプラットフォームとして採用されている。従って、決済用のアプリケーション（決済アプリケーション）及びその他の業務に用いられるアプリケーション（以下、「業務アプリケーション」という）の開発プラットフォームが汎用化されるので、開発資産の再利用や流用は容易となる。また、情報処理部２の構成に民生用機器を用いることができれば、情報処理部２は、動画の録画及び再生がストレスなく可能な程度に高い演算処理能力を備えるため、決済アプリケーションと業務アプリケーションとを、ストレスなく柔軟に動作させることができる。
【００８９】
また、本実施形態では、決済端末装置１は、図３に示す決済アプリケーションＳＷ５が起動している取引の決済処理時において、その決済処理に関わる外部の接続先機器を、クレジットカードを所有する顧客のカード情報に応じて適応的に選択する（図６又は図７参照）。
【００９０】
（統計情報管理サーバの構成）
次に、本実施形態の統計情報管理サーバ１００Ａ，１００Ｂの構成について、図５を参照して説明する。図５は、本実施形態の統計情報管理サーバ１００（１００Ａ，１００Ｂ）のハードウェア構成の一例を具体的に示すブロック図である。なお、統計情報管理サーバ１００Ａ，１００Ｂの構成は同一のため、以下、統計情報管理サーバ１００として説明する。
【００９１】
図５に示す統計情報管理サーバ１００（１００Ａ，１００Ｂを含む。以下同様。）は、ＣＰＵ１２１と、局所無線通信アンテナ１２３が接続された局所無線通信部１２２と、広域無線通信アンテナ１２５が接続された広域無線通信部１２４と、ハードディスク１３２と、ＲＡＭ１３３とを含む構成である。
【００９２】
ＣＰＵ１２１は、統計情報管理サーバ１００の各部の動作を統括的に制御し、ハードディスク１３２への情報又はデータの記憶処理、各部への入出力処理、その他の制御処理を実行する。また、サーバ側テーブル生成部の一例としてのＣＰＵ１２１は、顧客のカードの使用に基づく加盟店毎の売上情報（取引合計額）に基づく手数料率情報と、所定の顧客利益還元情報とを用いて、カードを用いた取引の決済処理を行うために接続すべき接続先機器（例えば決済センタ又はアクワイヤラ）を定める接続先決済センタ変換テーブル６０，接続先アクワイヤラ変換テーブル６０Ａを生成する。ＣＰＵ１２１は、接続先決済センタ変換テーブル６０，接続先アクワイヤラ変換テーブル６０Ａのデータを、局所無線通信部１２２又は広域無線通信部１２４から決済端末装置１に送信させる。
【００９３】
送信部の一例としての局所無線通信部１２２は、局所無線通信アンテナ１２３と接続されており、不図示の局所無線通信路を介して、例えば無線ＬＡＮによる無線通信を行う。局所無線通信部１２２は、ＣＰＵ１２１から出力された接続先決済センタ変換テーブル６０，接続先アクワイヤラ変換テーブル６０Ａのデータを、局所無線通信アンテナ１２３から前述の局所無線通信路（不図示）及びその先に接続される広域網のネットワークＣＮＷ１Ａ（図１（Ａ）参照）を介して、決済端末装置１に送信する。又は、局所無線通信部１２２は、ＣＰＵ１２１から出力された手数料率情報及び顧客利益還元情報を、局所無線通信アンテナ１２３から決済端末装置１に送信する。
【００９４】
送信部の一例としての広域無線通信部１２４は、広域無線通信アンテナ１２５と接続されており、不図示の広域無線通信路（例えばＷＡＮ）を介して、広域無線通信を行う。広域無線通信部１２４は、ＣＰＵ１２１から出力された接続先決済センタ変換テーブル６０，接続先アクワイヤラ変換テーブル６０Ａのデータを、広域無線通信アンテナ１２５から決済端末装置１に送信する。又は、広域無線通信部１２４は、ＣＰＵ１２１から出力された手数料率情報及び顧客利益還元情報を、広域無線通信アンテナ１２５から前述の広域無線通信路（不図示）及びその先に接続される広域網のネットワークＣＮＷ１Ａ（図１（Ａ）参照）を介して、決済端末装置１に送信する。
【００９５】
記憶部の一例としてのハードディスク１３２は、各種のデータを記憶する。記憶されるデータは、例えば、決済端末装置１Ａが設置される加盟店毎に、取引の決済に関する加盟店と決済センタ又はアクワイヤラとの契約に関する情報（決済契約情報）である。決済契約情報には、加盟店が所定期間（例えば１年間）における取引合計額に応じて決済センタ又はアクワイヤラに対して支払う手数料の割合を示す手数料率情報や、加盟店が定期的に実施するキャンペーンのエンドユーザメリット（例えばキャッシュバック、ポイント付与）に関する顧客利益還元情報が含まれる。なお、図５に示す統計情報管理サーバ１００において、ハードディスク１３２の代わりに、フラッシュメモリが用いられても良い。
【００９６】
ＲＡＭ１３３は、統計情報管理サーバ１００の動作に伴う演算処理等の際に、その途中において発生する処理データを一時的に記憶する等のために用いられるワークメモリである。
【００９７】
（接続先機器としての決済センタの選択）
次に、本実施形態の決済端末装置１において取引の決済処理を行う際に接続する接続先機器としての決済センタの選択について、図６を参照して説明する。図６は、本実施形態の決済端末装置１の接続先機器が決済センタである場合の動作概要の説明図である。
【００９８】
図６では、決済端末装置１が設置されている加盟店で決済処理を行う際の接続先として、決済センタＡＡ、決済センタＡＢ、決済センタＡＣ、決済センタＡＤ、決済センタＡＥ、決済センタＡＦ、決済センタＡＸが示されている。言い換えると、図６に示す決済端末装置１が設置されている加盟店は、決済センタＡＡ、決済センタＡＢ、決済センタＡＣ、決済センタＡＤ、決済センタＡＥ、決済センタＡＦ、決済センタＡＸとの間で、クレジットカードを用いた取引の決済に関する契約を締結している。
【００９９】
図６において、決済端末装置１は、統計情報管理サーバ１００から送信された接続先決済センタ変換テーブル６０、又は統計情報管理サーバ１００から送信された手数料率情報及び顧客利益還元情報を基にして生成した接続先決済センタ変換テーブル６０を、例えばフラッシュＲＯＭ３２において記憶している。接続先決済センタ変換テーブル６０は、取引の対象となるクレジットカードのカード発行会社（「イシュア」とも呼ばれる）の種類に応じて、加盟店が決済処理を行う際に接続する決済センタの識別情報を予め定めた表である。決済センタの識別情報は、例えば決済センタのＵＲＬ（Uniform Resource Locator）、決済センタのＩＰ（Internet Protocol）アドレス、決済センタのＩＰアドレス及びポート番号のうちいずれか、又はそれらのうち複数の情報の組合せである。
【０１００】
また、接続先決済センタ変換テーブル６０には、１つのクレジットカードのカード発行会社に対して、複数の決済センタが決済処理を行う際の接続先として登録されている場合がある。複数の決済センタが決済処理を行う際の接続先として登録されている場合には、それらの接続先に関する優先順位情報も定められている。
【０１０１】
例えば、図６に示すように、カード発行会社がカードＩＡである場合には、加盟店では、決済センタＡＡ、決済センタＡＸ、決済センタＡＣの順に、決済処理を行う際の接続先に関する優先順位が定められている。このような優先順位情報は、加盟店において予め定められた優先順位に関するポリシ（後述する図８（Ｂ）参照。例えば、決済センタに支払う手数料率（決済金額に対する決済手数料の割合）情報や顧客へのメリットに関する情報（アクワイヤラが実施する還元キャンペーンや、顧客のカード利用金額に応じた顧客へのポイント還元の内容などの、顧客利益還元情報）を考慮して作成されたポリシ）に基づいて、加盟店において独自に決められている。なお、優先順位情報は、加盟店において独自に定められる場合に限らず、加盟店とアクワイヤラとの契約に基づいて定められても良い。
【０１０２】
このように、カード発行会社毎に複数の決済センタが登録された場合に、決済センタ毎の優先順位情報が併せて登録されることにより、決済端末装置１は、クレジットカードを用いて商品を購入した顧客や加盟店の双方にとって、メリットが得られる決済センタを適応的に選択することができる。
【０１０３】
クレジットカードを用いて商品を購入した顧客にとってのメリットとは、例えば所定期間において所定額以上の商品を購入した場合に顧客に返金される現金のキャッシュバックキャンペーンやクレジットカード毎に付与されるポイントの特典である。また、加盟店にとってのメリットとは、例えば加盟店が自社クレジットカードを発行している（例えば、加盟店の会社グループの組織にアクワイヤラが存在する）場合には、加盟店は、自社のクレジットカードを用いて取引することにより、他社が発行したクレジットカードを用いた場合に必要となる高額な手数料率に基づく取引手数料を支払うことなく、低率或いは無償の自社クレジットカードの手数料率を用いて取引できるため、営業利益の低下を最小限に抑え、加盟店への負担のより少ないポイント特典により販売機会の増加に導くことができる。
【０１０４】
また、図６では説明を簡単にするために、取引の決済に使用されるカードは接触型ＩＣカード（例えばクレジットカード）を例示して説明するが、図６に示す決済端末装置１のカードリーダ部５０は、磁気カードリーダ部３５、非接触型ＩＣカードリーダライタ部４３及び接触型ＩＣカードリーダ部４４のうちいずれでも良く、図７においても同様である。更に、接続先決済センタ変換テーブル６０は、フラッシュＲＯＭ３２に予め記憶されるとして説明したが、例えば決済端末装置１が統計情報管理サーバ１００から接続先決済センタ変換テーブル６０のデータを受信した場合には、ＲＡＭ３３に一時的に記憶されても良く、図７に示す接続先アクワイヤラ変換テーブル６０Ａにおいても同様である。
【０１０５】
（接続先機器としてのアクワイヤラの選択）
次に、本実施形態の決済端末装置１において取引の決済処理を行う際に接続する接続先機器としてのアクワイヤラの選択について、図７を参照して説明する。図７は、本実施形態の決済端末装置１の接続先機器がアクワイヤラである場合の動作概要の説明図である。図７の説明では、図６の説明と同一の内容の説明は省略又は簡略化し、異なる内容について説明する。
【０１０６】
図７では、決済端末装置１の接続先として、アクワイヤラＢＡ、アクワイヤラＢＢ、アクワイヤラＢＣが示されている。言い換えると、図７に示す決済端末装置１が設置されている加盟店は、アクワイヤラＢＡ、アクワイヤラＢＢ、アクワイヤラＢＣとの間で、クレジットカードを用いた取引の決済に関する契約をしている。
【０１０７】
図７において、決済端末装置１は、統計情報管理サーバ１００から送信された接続先アクワイヤラ変換テーブル６０Ａ、又は統計情報管理サーバ１００から送信された手数料率情報及び顧客利益還元情報を基にして生成した接続先アクワイヤラ変換テーブル６０Ａを、例えばフラッシュＲＯＭ３２において記憶している。接続先アクワイヤラ変換テーブル６０Ａは、取引の対象となるクレジットカードのカード発行会社（イシュア）の種類に応じて、加盟店が決済処理を行う際に接続するアクワイヤラの識別情報を予め定めた表である。アクワイヤラの識別情報は、例えばアクワイヤラのＵＲＬ（Uniform Resource Locator）、アクワイヤラのＩＰ（Internet Protocol）アドレス、アクワイヤラのＩＰアドレス及びポート番号のうちいずれか、又はそれらのうち複数の情報の組合せである。
【０１０８】
また、図７では図示されていないが、接続先アクワイヤラ変換テーブル６０Ａには、１つのクレジットカードのカード発行会社に対して、複数のアクワイヤラが決済処理を行う際の接続先として登録されている場合がある。複数のアクワイヤラが決済処理を行う際の接続先として登録されている場合には、図６と同様に、それらの接続先に関する優先順位情報も定められても良い。
【０１０９】
カード発行会社毎に複数のアクワイヤラが登録された場合に、アクワイヤラ毎の優先順位情報が併せて登録されることにより、決済端末装置１は、クレジットカードを用いて商品を購入した顧客や加盟店の双方にとって、メリットが得られる決済センタを適応的に選択することができる。このメリットは上述したメリットと同じであるため、説明を割愛する。
【０１１０】
（手数料率情報、顧客利益還元情報）
次に、手数料率情報及び顧客利益還元情報の内容について、図８（Ａ）及び図８（Ｂ）を参照して説明する。図８（Ａ）は、年間決済累計額と手数料率との関係の一例を示すグラフである。図８（Ｂ）は、接続先アクワイヤラ変換テーブル６０Ａの内容を説明する補足説明図である。
【０１１１】
図８（Ａ）には、ある加盟店とあるアクワイヤラとの間の契約に基づく手数料率の一例を示す関係が示されている。具体的には、この加盟店の年間決済累計額（取引合計額）がＸ百万円未満である場合には５％の手数料率が課せられ、年間決済累計額がＸ百万円以上であってＹ億円未満である場合には３％の手数料率が課せられ、年間決済累計額がＹ億円以上である場合には２％の手数料率が課せられることになっている。このように、加盟店とアクワイヤラとの間では、例えば図８（Ａ）に示す階段状の関係（関数）に基づいて、年間決済累計額と手数料率との関係を示す手数料率情報が定められている。このような手数料率情報は、統計情報管理サーバ１００のハードディスク１３２において記憶されている。
【０１１２】
そして、図８（Ｂ）には、図７に示す接続先アクワイヤラ変換テーブル６０Ａの内容を説明するために、例えばアクワイヤラＢＢが接続先機器として選択される場合のカード発行会社のカードの種類（例えばカードブランドＩＢ）と、接続先機器と、手数料率と、エンドユーザメリットと、選択優先順位とが示されている。また図８（Ｂ）では、選択優先順位は、例えば加盟店の手数料率及びエンドユーザメリットを含めたポリシに基づいて選択されることが示されている。
【０１１３】
具体的には、図８（Ｂ）に示す第１行目のレコードでは、接続先機器がアクワイヤラＢＢ（自社、即ち、加盟店と同じグループ会社）である。加盟店がカードブランドＩＢのカードを用いた取引の決済を行う際にアクワイヤラＢＢを利用すれば、自社クレジット扱いの取引となるので、加盟店が負担する手数料率は１％となる。また、アクワイヤラまたは加盟店は、カードブランドＩＢを使用した場合の顧客利益還元情報（エンドユーザメリット）として、ＫＫポイントを付与する。
【０１１４】
図８（Ｂ）に示す第２行目のレコードでは、接続先機器がカードブランドＸ１のアクワイヤラである。このアクワイヤラに対して、加盟店が負担する手数料率は３％である。アクワイヤラまたは加盟店は、カードブランドＩＢのカードを用いた取引の決済を行う際に、このアクワイヤラを利用した場合の顧客利益還元情報（エンドユーザメリット）として、ＭＭポイントを付与する。
【０１１５】
図８（Ｂ）に示す第３行目のレコードでは、接続先機器がカードブランドＹ１のアクワイヤラである。このアクワイヤラに対して、加盟店が負担する手数料率は３％である。アクワイヤラまたは加盟店は、カードブランドＩＢのカードを用いた取引の決済を行う際に、このアクワイヤラを利用した場合の顧客利益還元情報（エンドユーザメリット）として、￥ＮＮ（ＮＮ円）のキャッシュバックを行う。
【０１１６】
最後に、図８（Ｂ）に示す第４行目のレコードでは、接続先機器がカードブランドＺ１のアクワイヤラである。このアクワイヤラに対して、加盟店が負担する手数料率は５％である。アクワイヤラまたは加盟店は、カードブランドＩＢのカードを用いた取引の決済を行う際に、このアクワイヤラを利用した場合の顧客利益還元情報（エンドユーザメリット）を設定していない。
【０１１７】
加盟店は、選択優先順位を決定する場合のポリシとして、図８（Ｂ）に示すように、例えば加盟店が負担する手数料率がＧ％未満である場合には、エンドユーザメリットよりも手数料率を優先し、当該手数料率がＧ％以上である場合には、手数料率よりもエンドユーザメリットを優先して、選択優先順位を決定する。言い換えると、図６、図７、図８（Ｂ）に示す優先順位情報は、例えば図８（Ｂ）に示す選択優先順位付けのポリシに基づいて、加盟店により決定されたものである。
【０１１８】
（決済端末装置１の決済処理時における動作手順）
次に、本実施形態の決済端末装置１の決済処理時における動作について、図９及び図１０を参照して説明する。図９は、本実施形態の決済端末装置１の決済処理時における第一の動作手順を詳細に説明するフローチャートである。図１０は、本実施形態の決済端末装置１の決済処理時における第二の動作手順を詳細に説明するフローチャートである。図１０では、図９の説明と同一の内容の説明を簡略化又は省略し、異なる内容について説明する。
【０１１９】
決済端末装置１は、情報処理部２（図２（Ａ）及び図３参照）にインストールされた決済アプリケーションＳＷ５（図４参照）を実行させて、決済処理の手続を開始する。
【０１２０】
図９又は図１０において、決済端末装置１は、顧客がクレジットカードを用いて商品を購入した金額情報、当該金額の支払方法、決済に使用されるクレジットカードのカードブランドの情報等、決済に関する情報の入力を受け付ける（Ｓ１１）。決済に関する情報は、例えば加盟店の店員が図２（Ａ）に示す入力キー１３を押下することにより、決済アプリケーションＳＷ５に入力される。
【０１２１】
決済端末装置１は、決済に関する情報を受け付けると、例えば図２（Ａ）に示すように、決済に使用されるクレジットカードの読み取り操作を促す処理及びクレジットカードの読み取り操作を促す旨の表示を行う（Ｓ１２）。決済に使用されるクレジットカードの読み取り操作を促す処理及びクレジットカードの読み取り操作を促す旨の表示は、カードの読み取り操作が行われたことが確認されるまで行われる（Ｓ１３のＮＯ）。
【０１２２】
クレジットカードの読み取りが行われたことが確認されたら（Ｓ１３のＹＥＳ）、決済端末装置１は、クレジットカードの認証処理の手続に入る。クレジットカードの認証方法は、決済に使用されるクレジットカードの種類と情報、決済端末装置１を使用する加盟店と決済センタ又はアクワイヤラとの間で予め結ばれている契約に基づいて決定される。
【０１２３】
例えばクレジットカードの認証方法がＰＩＮによる場合（Ｓ１４のＰＩＮ）、決済端末装置１は、ＰＩＮの入力が可能な画面の表示を情報処理部２のタッチパネル１０に対して行い（Ｓ１５）、クレジットカードの所有者によるＰＩＮの入力が完了するまで待機する（Ｓ１６のＮＯ）。
【０１２４】
ＰＩＮの入力が完了したことが確認されると（Ｓ１６のＹＥＳ）、決済端末装置１は、ステップＳ１３において読み取られたクレジットカードに記録されたカード情報（例えばクレジットカードのカード発行会社）に応じて決定された接続先機器としての決済センタ又はアクワイヤラに対し、入力されたＰＩＮが、決済センタ若しくはアクワイヤラに予め登録されたＰＩＮと一致するか否かの照合結果が得られるまで待機する。
【０１２５】
例えば図９に示す第一の動作手順において、ＰＩＮの照合は、決済センタにおいて行われる。決済端末装置１は、ステップＳ１６において入力されたＰＩＮを暗号化して、その暗号化されたＰＩＮを、カード情報とともに決済センタ若しくはアクワイヤラに送信する（Ｓ１６Ａ）。
【０１２６】
決済センタ若しくはアクワイヤラは、決済端末装置１から受信したＰＩＮを復号し、復号されたＰＩＮと決済センタ若しくはアクワイヤラにおいて管理されているＰＩＮとを照合する。これら２つのＰＩＮが一致し、ＰＩＮとともに送信されてきたカード情報を有するカードが取引上問題無いと確認された（例えばブラックリストに載っていない）場合（Ｓ１７のＹＥＳ）、決済センタ若しくはアクワイヤラは、決済端末装置１に対して与信を行う。決済端末装置１は、決済センタ若しくはアクワイヤラからの与信を受けて、その後の決済処理としての売上処理を行い（Ｓ１８）、決済センタとの通信を終了する。決済端末装置１は、その売上処理のデータの決済センタへの送信を、売上処理の完了直後かつ決済センタ又はアクワイヤラとの通信を終了する前に行っても良いし、他の決済の売上処理データと併せて後ほど行っても良い。２つのＰＩＮが一致しない場合（Ｓ１７のＮＯ）、決済センタ若しくはアクワイヤラは、決済端末装置１に対して与信できない旨の通知を行う。決済端末装置１は、決済センタ若しくはアクワイヤラからの通知を受けて売上処理を行わず、決済は中止される（Ｓ１９）。
【０１２７】
一方、図１０に示す第二の動作手順において、ＰＩＮの照合は、決済端末装置１と、決済端末装置１に読み取られるクレジットカード（不図示）との間において行われる。決済端末装置１は、ステップＳ１６において入力されたＰＩＮと、クレジットカード内のチップ（不図示）に予め記録されているＰＩＮとが一致するという照合結果が得られれば（Ｓ１７のＹＥＳ）、その後の決済処理としての売上処理を行う（Ｓ１８）。決済端末装置１は、その売上処理のデータの決済センタへの送信を、売上処理の完了直後かつ決済センタ又はアクワイヤラとの通信を終了する前に行っても良いし、他の決済の売上処理データと併せて後ほど行っても良い。２つのＰＩＮが一致しないという照合結果が得られた場合には（Ｓ１７のＮＯ）、決済端末装置１における売上処理は中止され、決済は中止される（Ｓ１９）。
【０１２８】
そして、図９、図１０のいずれにおいても、クレジットカードの認証方法が署名による場合（Ｓ１４の署名）、決済端末装置１は、署名の入力が可能な画面の表示を情報処理部２のタッチパネル１０に対して行い（Ｓ２０）、クレジットカードの所有者による署名の入力が完了するまで待機する（Ｓ２１のＮＯ）。
【０１２９】
署名の入力が完了したことが確認されると（Ｓ２１のＹＥＳ）、決済端末装置１は、ＰＩＮが一致するという照合結果が得られた場合と同様に、その後の決済手続を実行する（Ｓ１８）。
【０１３０】
なお、ステップＳ１４においてクレジットカードの認証方法が署名による場合（Ｓ１４、署名）、決済端末装置１は、先に決済の与信照会を行い、与信照会が成功した旨の通知を受けた場合に、売上処理を行った後に、署名の入力が可能な画面の表示を行っても良い。
【０１３１】
以上により、本実施形態の決済処理システム１０００（１０００Ａ，１０００Ｂを含む。以下同様。）では、決済端末装置１は、例えばクレジットカードを用いて顧客が商品を購入する場合の決済処理において、加盟店の店員の操作によりクレジットカードを読み取ると、クレジットカードに登録されたカード情報（例えばカード発行会社）に応じて、接続先決済センタ変換テーブル６０又は接続先アクワイヤラ変換テーブル６０Ａを参照することで、その決済処理を行う際の接続先としての決済センタ又はアクワイヤラを選択する。
【０１３２】
これにより、決済処理システム１０００では、決済端末装置１は、例えばクレジットカードの所有者である顧客及び加盟店の双方にとってメリットが得られる接続先機器を適応的に選択することができる。
【０１３３】
例えば日本では、加盟店は、決済処理を行う際にはどの決済センタと接続すれば良いかを、加盟店と決済センタとの間を中継する決済中継サービス会社に対して委託している。決済中継サービス会社は、加盟店から送信されてきた暗号化ＰＩＮ、与信照会又は売上処理に関して、どの決済センタに依頼して良いかを判断している。このように暗号化ＰＩＮ、与信照会又は売上処理の中継と振り分けを決済中継サービス会社に委託すると、その委託費用の負担が加盟店に求められ、加盟店にとってはデメリットが生じている。
【０１３４】
従って、本実施形態の決済処理システム１０００によれば、決済端末装置１は、クレジットカードに登録されたカード情報（例えばカード発行会社）に応じて、決済処理を行う際の接続先としての決済センタを効率的に選択できるので、加盟店に必要であった決済中継サービス会社の委託にかかる運用コストを低減することができる。
【０１３５】
他方、例えば米国では、加盟店は、決済処理を行う際には、アクワイヤラ毎に、専用の決済端末装置を用意しないといけない。このため、クレジットカードの種類が多岐にわたっている現在だけではなく今後にも、加盟店が用意しなくてはならない専用端末が増加するという課題が生じると考えられる。
【０１３６】
しかしながら、本実施形態の決済処理システム１０００によれば、決済端末装置１は、クレジットカードに登録されたカード情報（例えばカード発行会社）に応じて、決済処理を行う際の接続先としてのアクワイヤラが効率的に選択できるので、加盟店は、クレジットカードの種類毎に専用の決済端末装置の準備を不要にできる。
【０１３７】
さらに、現在では、加盟店とアクワイヤラとは専用の決済端末装置を用いて決済のやりとりを行う旨の契約が締結されていることが多いが、専用の決済端末を使用せずに、アクワイヤラ毎に決済用のアプリケーションを用いて１つの決済端末装置を使用して決済処理を行うことを想定してみる。この場合には、加盟店が契約しているアクワイヤラ毎に専用の決済アプリケーションをインストールして実行可能にする必要が出てくるので、決済に用いられるクレジットカードが変わる度に決済アプリケーションを起動したり終了したりする等、ユーザ（加盟店の店員）の操作性が劣化してしまう。
【０１３８】
しかしながら、本実施形態の決済処理システム１０００によれば、決済端末装置１の決済アプリケーションＳＷ５は決済センタやアクワイヤラの種類や数に関係なく使用可能なアプリケーションであるため、決済端末装置１は、決済に用いられるクレジットカードが変わっても別の決済アプリケーションを起動することがなくなるので、顧客を長時間待たせずに速やかに決済処理を実行することができる。
【０１３９】
なお、本実施形態において、統計情報管理サーバ１００は、接続先決済センタ変換テーブル６０又は接続先アクワイヤラ変換テーブル６０Ａの内容を更新した場合には、更新後の接続先決済センタ変換テーブル６０又は接続先アクワイヤラ変換テーブル６０Ａのデータを決済端末装置１に送信する。決済端末装置１は、決済端末装置１の起動（例えば電源ＯＮ）時又は再起動時に、接続先決済センタ変換テーブル６０又は接続先アクワイヤラ変換テーブル６０Ａのデータを、統計情報管理サーバ１００から送信された更新後の接続先決済センタ変換テーブル６０又は接続先アクワイヤラ変換テーブル６０Ａのデータに更新する。これにより、決済端末装置１は、決済処理の際には、更新後の接続先決済センタ変換テーブル６０又は接続先アクワイヤラ変換テーブル６０Ａを用いて、決済処理を行う際の接続先として、カード（例えばクレジットカード）の所有者である顧客及び加盟店の双方にとってメリットが得られる決済センタ又はアクワイヤラを適応的に選択できる。
【０１４０】
また、本実施形態において、統計情報管理サーバ１００は、手数料率情報若しくは顧客利益還元情報、又は手数料率情報及び顧客利益還元情報の内容を更新した場合には、更新後の手数料率情報若しくは顧客利益還元情報、又は手数料率情報及び顧客利益還元情報を決済端末装置１に送信する。決済端末装置１は、決済端末装置１の起動（例えば電源ＯＮ）時又は再起動時に、手数料率情報若しくは顧客利益還元情報、又は手数料率情報及び顧客利益還元情報を、統計情報管理サーバ１００から送信された更新後の手数料率情報若しくは顧客利益還元情報、又は手数料率情報及び顧客利益還元情報に更新する。これにより、決済端末装置１は、決済処理の際には、更新後の手数料率情報若しくは顧客利益還元情報、又は手数料率情報及び顧客利益還元情報を用いて、接続先決済センタ変換テーブル６０又は接続先アクワイヤラ変換テーブル６０Ａを生成でき、決済処理を行う際の接続先として、カード（例えばクレジットカード）の所有者である顧客及び加盟店の双方にとってメリットが得られる決済センタ又はアクワイヤラを適応的に選択できる。
【０１４１】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１４２】
本発明は、クレジットカードの所有者及び加盟店の双方にとって好ましい取引相手を適応的に選択する情報処理システム、情報処理装置及び情報処理方法として有用である。
【符号の説明】
【０１４３】
１、１Ａ、１Ｂ  決済端末装置
５  スリット
７  挿入口
１０  タッチパネル
１３  入力キー
２１  ＣＰＵ
２２  局所無線通信部
２３  局所無線通信アンテナ
２４  広域無線通信部
２５  広域無線通信アンテナ
２９  表示部
３０  タッチ入力検出部
３２  フラッシュＲＯＭ
３３  ＲＡＭ
３４  キーパッド部
３５  磁気カードリーダ部
３６  電源部
３７  バッテリ
３８  ループアンテナ
４３  非接触型ＩＣカードリーダライタ部
４４  接触型ＩＣカードリーダ部
５０  カードリーダ部
６０  接続先決済センタ変換テーブル
６０Ａ  接続先アクワイヤラ変換テーブル
８０  店舗売上情報管理サーバ
１００、１００Ａ、１００Ｂ  統計情報管理サーバ
１０００Ａ、１０００Ｂ  決済処理システム
ＡＡ、ＡＢ、ＡＣ、ＡＤ、ＡＥ、ＡＦ、ＡＸ  決済センタ
ＢＡ、ＢＢ、ＢＣ  アクワイヤラ
ＳＷ０  オペレーティングシステム（ＯＳ）
ＳＷ１  キーパッドドライバ
ＳＷ２  キーパッド入出力実行制御部
ＳＷ３  カードリーダドライバ
ＳＷ４  カード入出力部
ＳＷ５  決済アプリケーション
ＳＷ６  画面ＵＩアプリケーション
ＳＷ７  ディスプレイドライバ
ＳＷ８  センタ接続アプリケーション
【図１】
2015172817.tif 000003
【図２】
2015172817.tif 000004
【図３】
2015172817.tif 000005
【図４】
2015172817.tif 000006
【図５】
2015172817.tif 000007
【図６】
2015172817.tif 000008
【図７】
2015172817.tif 000009
【図８】
2015172817.tif 000010
【図９】
2015172817.tif 000011
【図１０】
2015172817.tif 000012
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
顧客のカードの使用に基づく取引の決済に用いる決済端末装置と、所定期間に行われた前記取引による売上情報を管理する統計情報管理サーバとを含み、
前記統計情報管理サーバは、
前記決済端末装置が設置される加盟店毎に、取引の決済に関する加盟店と決済センタとの契約に関する決済契約情報を取得し、前記決済契約情報に含まれる前記所定期間に行われた前記取引による売上情報に基づく手数料率情報と、所定の顧客利益還元情報とを用いて、前記カードを用いた取引の決済において接続する接続先機器を定める接続先機器変換テーブルを生成するサーバ側テーブル生成部と、
前記サーバ側テーブル生成部により生成された前記接続先機器変換テーブルの情報を前記決済端末装置に送信する送信部と、を有し、
前記決済端末装置は、
前記カードに記録された所定のカード情報を読み取るカードリーダ部と、
前記統計情報管理サーバから送信された前記接続先機器変換テーブルの情報を受信する受信部と、
前記カードリーダ部により読み取られた前記カード情報に応じて、前記接続先機器変換テーブルを用いて、前記カードを用いた取引の決済において接続する接続先機器を決定する決定部と、
前記決定部により決定された前記接続先機器に対し、前記カードを用いた取引の決済処理に関わるコマンド又はデータの送受信を行う決済処理部と、を備え、
前記統計情報管理サーバは、取得した前記決済契約情報に基づいて前記接続先機器変換テーブルを更新し、更新した接続先機器変換テーブルを前記決済端末装置に送信し、前記決済端末装置内の前記接続先機器変換テーブルを更新する、
決済処理システム。
【請求項２】
請求項１に記載の決済処理システムであって、
前記接続先機器変換テーブルは、
一部又は全部の前記カード情報に対して、複数の接続先機器の識別番号と前記複数の接続先機器の優先順位情報とを定め、
前記決定部は、
前記複数の接続先機器の優先順位情報を基に、前記一部又は全部の前記カード情報に対応するカードを用いた取引の決済において接続する接続先機器を決定する、
決済処理システム。
【手続補正３】
【補正対象書類名】明細書
【補正対象項目名】０００１
【補正方法】変更
【補正の内容】
【０００１】
本発明は、取引における決済処理を行うために使用される決済処理システムに関する。
【手続補正４】
【補正対象書類名】明細書
【補正対象項目名】０００９
【補正方法】変更
【補正の内容】
【０００９】
本発明は、上記した従来の課題を解決するために、クレジットカードの所有者及び加盟店の双方にとって好ましい取引相手を適応的に選択する決済処理システムを提供することを目的とする。
【手続補正５】
【補正対象書類名】明細書
【補正対象項目名】００１０
【補正方法】変更
【補正の内容】
【００１０】
本発明は、顧客のカードの使用に基づく取引の決済に用いる決済端末装置と、所定期間に行われた前記取引による売上情報を管理する統計情報管理サーバとを含み、前記統計情報管理サーバは、前記決済端末装置が設置される加盟店毎に、取引の決済に関する加盟店と決済センタとの契約に関する決済契約情報を取得し、前記決済契約情報に含まれる前記所定期間に行われた前記取引による売上情報に基づく手数料率情報と、所定の顧客利益還元情報とを用いて、前記カードを用いた取引の決済において接続する接続先機器を定める接続先機器変換テーブルを生成するサーバ側テーブル生成部と、前記サーバ側テーブル生成部により生成された前記接続先機器変換テーブルの情報を前記決済端末装置に送信する送信部と、を有し、前記決済端末装置は、前記カードに記録された所定のカード情報を読み取るカードリーダ部と、前記統計情報管理サーバから送信された前記接続先機器変換テーブルの情報を受信する受信部と、前記カードリーダ部により読み取られた前記カード情報に応じて、前記接続先機器変換テーブルを用いて、前記カードを用いた取引の決済において接続する接続先機器を決定する決定部と、前記決定部により決定された前記接続先機器に対し、前記カードを用いた取引の決済処理に関わるコマンド又はデータの送受信を行う決済処理部と、を備え、前記統計情報管理サーバは、取得した前記決済契約情報に基づいて前記接続先機器変換テーブルを更新し、更新した接続先機器変換テーブルを前記決済端末装置に送信し、前記決済端末装置内の前記接続先機器変換テーブルを更新する、決済処理システムである。
【手続補正６】
【補正対象書類名】明細書
【補正対象項目名】００１１
【補正方法】変更
【補正の内容】
【００１１】
この構成では、統計情報管理サーバは、所定期間に顧客のカードの使用に基づいて行われた取引の売上情報（取引合計額）に基づく手数料率情報と所定の顧客利益還元情報とを用いて、カードを用いた取引の決済において接続する接続先機器を定める接続先機器変換テーブルを生成して決済端末装置に送信する。決済端末装置は、顧客が所有するカード（例えばクレジットカード）に記録されたカード情報（例えばカード発行会社の情報）に応じて、統計情報管理サーバから送信された接続先機器変換テーブルを用いて、カードを用いた取引の決済において接続する接続先機器を決定する。また、この構成では、決済端末装置は、例えば統計情報管理サーバにより接続先機器変換テーブルの情報が更新された場合に、更新後の接続先機器変換テーブルの情報を受信し、決済端末装置が起動（例えば電源ＯＮ）した場合又は再起動した場合に、更新後の接続先機器変換テーブルの情報を用いて、決済処理に関わる接続先機器を決定する。
【手続補正７】
【補正対象書類名】明細書
【補正対象項目名】００１２
【補正方法】変更
【補正の内容】
【００１２】
これにより、決済処理システムでは、決済端末装置は、カード（例えばクレジットカード）の所有者である顧客及び加盟店の双方にとって、取引の決済の際に接続する接続先機器として好ましい取引相手が予め定められた接続先機器変換テーブルを統計情報管理サーバから取得できるので、カード（例えばクレジットカード）の所有者である顧客及び加盟店の双方にとってメリットが得られる接続先機器を適応的に選択することができる。また、これにより、決済端末装置は、統計情報管理サーバにより更新された最新の接続先機器変換テーブルを用いて接続先機器を決定できるので、カード（例えばクレジットカード）の所有者である顧客及び加盟店の双方にとってメリットが得られる接続先機器を適応的に選択することができる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
また、本発明は、前記接続先機器変換テーブルが、一部又は全部の前記カード情報に対して、複数の接続先機器の識別番号と前記複数の接続先機器の優先順位情報とを定め、前記決定部が、前記複数の接続先機器の優先順位情報を基に、前記一部又は全部の前記カード情報に対応するカードを用いた取引の決済において接続する接続先機器を決定する、決済処理システムである。
【手続補正１２】
【補正対象書類名】明細書
【補正対象項目名】００１７
【補正方法】変更
【補正の内容】
【００１７】
この構成では、接続先機器変換テーブルは、一部又は全部のカード情報に対して、複数の接続先機器の識別番号と各接続先機器の優先順位情報とを定める。決済端末装置は、各接続先機器の優先順位情報を基に、一部又は全部のカード情報に対応するカードを用いた取引の決済において接続する接続先機器を決定する。
【手続補正１３】
【補正対象書類名】明細書
【補正対象項目名】００１８
【補正方法】変更
【補正の内容】
【００１８】
これにより、決済処理システムでは、決済端末装置は、カードの所有者である顧客及び加盟店の双方にとってメリットが得られる接続先機器の順に優先順位情報を接続先機器変換テーブルにおいて記憶しているので、カード（例えばクレジットカード）の所有者である顧客及び加盟店の双方にとってメリットが得られる接続先機器を適応的に選択することができる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４０
【補正方法】削除
【補正の内容】
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】